(57)【特許請求の範囲】
【請求項１】
湯水を収容する有底略円筒状の内容器の内径と同じ直径の円板状の電気ヒータの加熱板部材は、円板の円周表面部周方向に沿って円板平面上方視略Ｃ字型の溝を設け、溝の開口部を覆い被せて管状の流水通路とし、流水通路の一端に流水通路の始点位置として加熱板部材の片側平面を上の面に貫通する入水孔を設け、流水通路他端に流水通路の終点位置として給湯配管と連通させるための出水孔を加熱板部材の下面に設け、前記円板状の加熱板部材が内容器の筒底となり、流水通路の断面積を給湯配管の断面積と同じにし、また入水孔と出水孔の直径がそれぞれ給湯配管の直径と同じ寸法になった電気ポット。
【請求項２】
内容器中の水を加熱するとき、湯水を加熱板部材となる筒底の上面により直接加熱すると同時に、加熱された加熱板付近の水と周囲の水とを共に筒底の入水孔に流入させ流水通路の終点の出水孔と連通した給湯配管を経由して内容器中に回流させる際に、加熱板部材の内部の流水通路内壁により加熱することにより、湯水の加熱板部材となる筒底の上面による直接加熱および同一の加熱板部材内部の流水通路内壁による加熱の二重加熱を行うことを特徴とする請求項１に記載の電気ポット。
【発明の詳細な説明】
【技術分野】
【０００１】
本発明は、電気ポットに関する。
【背景技術】
【０００２】
電気ポットの中の湯水は、内容器の下に設けられた加熱循環管路、または内容器の底面部に設けられた加熱カバーの加熱部材により加熱沸騰させる。
【０００３】
しかしながら、加熱循環管路で加熱するのは、内容器の局部的な循環加熱となる欠点があり、加熱部材に接する面だけで加熱しても、給湯配管に入る湯水が、加熱された水だけではなく、加熱されていない周囲の水と混ざりながら給湯配管から出湯することになる。
【特許文献１】特開２００３−２５９９７７
【特許文献２】実開平７−０３９７１７
【発明の開示】
【発明が解決しようとする課題】
【０００４】
湯水の加熱沸騰時間の短縮ができるとともに、水温が下がった湯水をあらかじめ設定した温度に加熱することが出来る。
【課題を解決するための手段】
【０００５】
円板の円周表面部周方向に流水通路を設けた円板状加熱板部材を円筒状有底内容器の筒底とし、流水通路の始点位置に入水孔、終点位置に出水孔を設け、内容器中に溜まった湯水を加熱する時は加熱板部材の表面部により湯水を直接加熱させるとともに、加熱板部材付近の水と周囲の水とを共に内容器筒底の入水孔に流入させ流水通路の終点の出水孔に連通した給湯配管と循環配管を利用して内容器中に循環する際に、同一の加熱板部材内部の流水通路内壁による加熱をする二重加熱を行う。
【発明の効果】
【０００６】
電気ヒータの加熱板部材を内容器の筒底とするとともに、循環配管を利用して、湯水が加熱板部材となる筒底の上面による直接加熱および同一の加熱板部材の内部の流水通路の内壁による二重加熱を行うことにより、湯水の加熱沸騰時間を短縮させることができるだけでなく、あらかじめ定められた温度に達したときに電気ヒータを停止させ、定温加熱することができる。
【発明を実施するための最良の形態】
【０００７】
図を参照しつつ説明する。
【０００８】
図１は電気ヒータＢの加熱板部材Ａの上面正面図である。円筒状有底内容器Ｄの円筒状部の内径と同じ直径の円形板状の加熱板部材Ａが内容器Ｄの筒底部材となる。円板状加熱板部材Ａの側面の周方向に加熱板部材Ａの平面上方視略Ｃ字型の溝状部を設け、溝の開口部を覆い被せて管状となる流水通路Ａ−ｃを設ける（図を参照）。流水通路Ａ−ｃの断面積は給湯配管の断面積と等しくする。流水通路Ａ−ｃの一端を起点として設けた入水孔Ａ−ａは内容器Ｄの内側底面に貫通させ、流水通路Ａ−ｃの終点に給湯配管Ｆと連通させるための出水孔Ａ−ｂを内容器Ｄの筒底の下面まで貫通させる。また入水孔Ａ−ａと出水孔Ａ−ｂの直径がそれぞれ給湯配管Ｆの直径と同じ寸法にすることで、給湯配管Ｆに対し湯水の流れる量を最大限にできる。
【０００９】
図２は図１に示した加熱板部材Ａの側面正面図である。流水通路Ａ−ｃの一端に給湯配管Ｆと同じ直径の入水孔Ａ−ａを流水通路Ａ−ｃの始点位置として円板状加熱板部材Ａの上面に向け連通させるよう設け、流水通路Ａ−ｃの他端に出水孔Ａ−ｂを流水通路Ａ−ｃの終点位置として給湯配管Ｆとを連通するよう円板状加熱板部材Ａの下面に設ける。
【００１０】
図２または図１に示した流水通路Ａ−ｃは、湯水を加熱するときに筒底となる加熱板部材Ａの上面による直接加熱と同時に、加熱板付近の水と周囲の冷水とを共に筒底の入水孔Ａ−ａに流入させ、湯水が流水通路Ａ−ｃの終点の出水孔Ａ−ｂから給湯配管Ｆに流れさせることで加熱板部材Ａの内部の流水通路Ａ−ｃの内壁により加熱する。流水通路Ａ−ｃの長さが円板状加熱板部材Ａの外周部のほぼ一周に相当するため、湯水の加熱効率を最大限にできる。
【００１１】
図３は電気ポットの筒底側面断面図である。加熱板部材Ａの直径を内容器Ｄの円筒状部の内径と同じにすることで、電気ヒータＢの加熱板部材Ａによる加熱面積が最大になる。加熱手段は加熱板部材Ａの上表面部による加熱だけでなく、出湯用モーターＣを利用することにより湯水が加熱板部材Ａの内部の流水通路Ａ−ｃ中を流れ給湯配管Ｆと循環配管を利用して回流する際に内壁による加熱することにより、同一の加熱板部材による二重加熱を行い、加熱沸騰の時間の短縮することができる。
【００１２】
湯水を前記二重加熱方式により、内容器Ｄ中の温度が下がった湯水を加熱する際に加熱温度を設定し、水温が所定温度に到達した時点で電気ヒータＢを停止させ、定温加熱することもできる。また内容器Ｄの水量が多い場合でも加熱沸騰時間を短縮することができ、湯水を短時間に所定温度まで加熱することができるため、低い保温温度に設定することで、省エネを図ることができる。
【００１３】
循環配管を利用する際に、流路切換コックを常に循環側に位置することにより、内容器Ｄの中に溜まった湯水を加熱するときは、出湯用モーターＣの回転により、揚水管Ｆと循環配管を通って内容器Ｄの中へ循環させながら加熱し、また出湯時の予期せぬ出湯または本体が倒れて湯水が流出するなどのトラブルを防ぐ効果もある。  
【００１４】
加熱板部材Ａの流水通路Ａ−ｃ中の湯水の過熱を防ぐため、出湯用モーターＣを停止することにより湯水を循環不能にすると同時に、電気ヒータＢも停止させる。
【００１５】
【図１】加熱板部材上面正面図
【図２】加熱板部材側面正面図
【図３】電気ポット側面下部正面図
【００１６】
Ａ        加熱板部材
Ａ−ａ    入水孔
Ａ−ｂ    出水孔
Ａ−ｃ    流水通路
Ｂ        電気ヒータ
Ｃ        モーター
Ｄ        内容器        
Ｆ        揚水管
【要約】
【課題】加熱沸騰時間の短縮または水温が降下した湯水の定温加熱をすることが出来る。
【解決手段】円板の円周表面部周方向に流水通路を設けた円板状加熱板部材を円筒状有底内容器の筒底とし、流水通路の始点位置に入水孔、終点位置に出水孔を設け、出水孔から給湯配管と連通する。内容器中の湯水を加熱する時は、湯水を加熱板部材の表面部により直接加熱させるとともに、加熱された加熱板付近の水と周囲の水とを共に内容器筒底の入水孔に流入させて流水通路の終点の出水孔に連通した給湯配管から循環配管を利用して内容器中に回流させる際に、湯水を同一の加熱板部材内部の流水通路内壁により加熱する二重加熱を行う。
【選択図】図３【図１】
0004178177.tif 000002
【図２】
0004178177.tif 000003
【図３】
0004178177.tif 000004